(57)【要約】【課題】遊技者の邪魔にならないように各種の物品を載置でき利便性の向上を図る。【解決手段】計数遊技媒体受け皿２６は、下部正面板３２の正面３２０２でノズルシュート２２の上に設けられている。計数遊技媒体受け皿２６に装脱可能に装着される装着具２８が設けられている。装着具２８は、本体部４４と保持部（４６、４４０２、５０１２）とを備えている。本体部４４には、カップや缶飲料の載置を可能としたカップ載置部４８、携帯通信機の載置を可能とした携帯通信機載置部５０、又は係止突起５０１０等の携帯通信機載置部が設けられている。保持部（４６、４４０２、５０１２）は、カップ載置部４８と携帯通信機載置部５０とが計数遊技媒体受け皿２６に装着された状態を保持するものである。【選択図】図１２
2018015063.tif 000002
【特許請求の範囲】
【請求項１】
遊技機に併設される遊技媒体貸出機の筐体の正面に配置された計数遊技媒体受け皿に装脱可能に装着される装着具であって、
前記装着具は、物品の載置を可能とした物品載置部と、前記物品載置部が前記計数遊技媒体受け皿に装着された状態を保持する保持部とを有している、
ことを特徴とする遊技媒体貸出機の計数遊技媒体受け皿用の装着具。
【請求項２】
払い出しホッパを内部に収容する筐体本体と、
前記筐体本体の正面の下部に着脱可能に取着される下部正面板と、
前記筐体本体と前記下部正面板とを含んで構成された筐体と、
前記内部と反対に位置する前記下部正面板の正面である前記筐体の正面に設けられ前記払い出しホッパから遊技媒体が供給されるノズルシュートと、
前記下部正面板の正面である前記筐体の正面で前記ノズルシュートの上に設けられた計数遊技媒体受け皿とを備え、
遊技機に併設される遊技媒体貸出機であって、
前記計数遊技媒体受け皿に装脱可能に装着される装着具が設けられ、
前記装着具は、物品の載置を可能とした物品載置部と、前記物品載置部が前記計数遊技媒体受け皿に装着された状態を保持する保持部とを有している、
ことを特徴とする遊技媒体貸出機。
【請求項３】
前記物品載置部は、異なる物品に対応して複数設けられている、
ことを特徴とする請求項１記載の遊技媒体貸出機の計数遊技媒体受け皿用の装着具または請求項２記載の遊技媒体貸出機。
【請求項４】
前記複数の物品載置部は、前記筐体の正面から直交して離れる方向に並べられて設けられ、
前記複数の物品載置部は、携帯通信機の載置を可能とした携帯通信機載置部を含んで構成され、
前記携帯通信機載置部は、前記複数の物品載置部のうちで最も前記筐体の正面に近い箇所に位置している、
ことを特徴とする請求項３記載の遊技媒体貸出機の計数遊技媒体受け皿用の装着具または請求項３記載の遊技媒体貸出機。
【請求項５】
前記物品載置部は、カップの載置を可能としたカップ載置部と、携帯通信機の載置を可能とした携帯通信機載置部とを含んで構成され、
前記カップ載置部は前記携帯通信機載置部よりも前記筐体の正面から離れた箇所に位置し、
前記カップ載置部は、カップが載置されるカップ用底壁と、前記カップ用底壁の周囲から起立するカップ用側壁とを有し、
前記携帯通信機載置部は、横の寸法よりも縦の寸法が大きい携帯通信機を縦置きした状態で載置される携帯通信機用底壁と、前記携帯通信機用底壁の周囲から起立する携帯通信機用側壁とを有し、
前記携帯通信機用底壁は、前記カップ用底壁よりも高い箇所に位置して前記カップ用底壁に近づくにつれて次第に下方に変位する傾斜面で形成され、
前記カップ載置部と前記携帯通信機載置部との境の箇所に位置する前記カップ用側壁および前記携帯通信機用側壁の少なくとも下部に欠部が設けられ、この欠部の底部を介して前記カップ用底壁と前記携帯通信機用底壁とが接続されている、
ことを特徴とする請求項１、３の何れか1項記載の遊技媒体貸出機の計数遊技媒体受け皿用の装着具または請求項２、３の何れか1項記載の遊技媒体貸出機。
【請求項６】
前記物品載置部は、カップの載置を可能としたカップ載置部と、携帯通信機の載置を可能とした携帯通信機載置部とを含んで構成され、
前記カップ載置部は前記携帯通信機載置部よりも前記筐体の正面から離れた箇所に位置し、
前記カップ載置部は、カップが載置されるカップ用底壁と、前記カップ用底壁の周囲から起立するカップ用側壁とを有し、
前記携帯通信機載置部は、横の寸法よりも縦の寸法が大きい携帯通信機を縦置きした状態で載置される携帯通信機用底壁と、前記携帯通信機用底壁の周囲から起立する携帯通信機用側壁とを有し、
前記携帯通信機用側壁の上端で前記カップ載置部寄りの箇所に、前記携帯通信機を横置きにした際に前記横置きされた前記携帯通信機の下側の箇所に係止する係止突起が設けられている、
ことを特徴とする請求項１、３の何れか1項記載の遊技媒体貸出機の計数遊技媒体受け皿用の装着具または請求項２、３の何れか1項記載の遊技媒体貸出機。
【請求項７】
前記装着具は、前記物品載置部が設けられ前記計数遊技媒体受け皿に収容される本体部を備え、
前記保持部は前記本体部から突設された脚部を備え、
前記脚部は、前記筐体の外側から見えない前記筐体の正面の内側の適宜箇所に係脱可能に係止する、
ことを特徴とする請求項１、３、４、５、６の何れか1項記載の遊技媒体貸出機の計数遊技媒体受け皿用の装着具または請求項２、３、４、５、６の何れか1項記載の遊技媒体貸出機。
【請求項８】
前記装着具は、前記下部正面板が前記筐体から取り外された状態で前記計数遊技媒体受け皿から取り外し可能であり、
前記下部正面板は、前記筐体本体の正面の係止孔に下方に変位することで係止し、上方に変位することで前記係止孔から外れる係止爪を有し、
前記下部正面板が取着される上方の前記筐体の正面の箇所は、前記払い出しホッパに遊技媒体を投入するための開口となっており、
前記開口を開閉する開閉蓋が設けられ、
前記開閉蓋が前記開口を閉塞した状態で、前記下部正面板は前記開閉蓋に当接して上方への変位が不能となり、
前記開閉蓋が前記開口を開放した状態で、前記下部正面板は上方への変位が可能となり、前記筐体本体から取り外し可能となる、
ことを特徴とする請求項７記載の遊技媒体貸出機。
【請求項９】
前記計数遊技媒体受け皿の上方の前記筐体の正面の箇所に前記携帯通信機の充電を行なう充電用コネクタが設けられている、
ことを特徴とする請求項１、３、４、５、６、７、８の何れか1項記載の遊技媒体貸出機の計数遊技媒体受け皿用の装着具または請求項２、３、４、５、６、７、８の何れか1項記載の遊技媒体貸出機。
【発明の詳細な説明】
【技術分野】
【０００１】
本発明は、遊技機に併設される遊技媒体貸出機の計数遊技媒体受け皿用の装着具および遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
また、隣り合う遊技機と遊技媒体貸出機の間には寸法調整のための台間柱が設けられている。
また、遊技媒体貸出機は、計数ホッパを設けることでメダルの計数機能を備えるものと、計数ホッパを設けずメダルの計数機能を備えないものとの２種類があり、遊技店の事情に応じてそれら２種類の遊技媒体貸出機が使い分けられている。
この場合、計数ホッパを設けない遊技媒体貸出機にも、計数ホッパにメダルを導く計数遊技媒体受け皿を設けておけば、計数ホッパを後付けすることで、遊技媒体貸出機に計数機能を付加することができる。
このように計数ホッパを設けない遊技媒体貸出機に計数遊技媒体受け皿を設けた場合は、計数遊技媒体受け皿に異物が入らないように計数遊技媒体受け皿をカバーで閉塞して使用できないようにしており、計数遊技媒体受け皿は特に利用されていない。
ところで、遊技機に設けられた画像ディスプレイには、遊技状態に応じて様々な動画が表示されるため、近年、スマートフォンのようなカメラ機能を有する携帯通信機を用いてそれらの動画を撮影し、撮影した動画をインターネットを介して動画共有サービスに送信して公開するといったことが行われている。
そこで、特許文献１には、台間柱にフレキシブルアームの一端を取り付け、他端に携帯通信機を保持するホルダを設けた保持装置が開示されている。
この保持装置では、ホルダに保持させた携帯通信機が、遊技機の画像ディスプレイの前方の箇所に位置するようにフレキシブルアームを曲げることで、携帯通信機による画像ディスプレイの撮影を行うことができる。
また、ホルダに保持させた携帯通信機が、遊技機の画像ディスプレイの前方の箇所から退避するようにフレキシブルアームを曲げることで、携帯通信機を遊技の邪魔にならない箇所に位置させることができる。
【先行技術文献】
【特許文献】
【０００３】
【特許文献１】特許第５９１９３２６号公報
【発明の概要】
【発明が解決しようとする課題】
【０００４】
しかしながら、上記従来技術では、フレキシブルアームやホルダによって限られたスペースが専有されてしまうことから、フレキシブルアームやホルダが遊技者の邪魔になりやすい不具合がある。
また、携帯通信機を遊技者の近くに置くことができるものの、飲み物が入った缶飲料を含むカップや、タバコやライター、腕時計、菓子類などの置き場所については特に考慮されておらず、利便性の向上を図る上で改善の余地がある。
本発明は、利用されない計数遊技媒体受け皿に着目してなされたものであり、本発明の目的は、遊技者の邪魔にならないように各種の物品を載置でき利便性の向上を図る上で有利な遊技媒体貸出機の計数遊技媒体受け皿用の装着具および遊技媒体貸出機を提供することにある。
【課題を解決するための手段】
【０００５】
上記目的を達成するために、請求項１記載の発明は、遊技機に併設される遊技媒体貸出機の筐体の正面に配置された計数遊技媒体受け皿に装脱可能に装着される装着具であって、前記装着具は、物品の載置を可能とした物品載置部と、前記物品載置部が前記計数遊技媒体受け皿に装着された状態を保持する保持部とを有していることを特徴とする。
請求項２記載の発明は、払い出しホッパを内部に収容する筐体本体と、前記筐体本体の正面の下部に着脱可能に取着される下部正面板と、前記筐体本体と前記下部正面板とを含んで構成された筐体と、前記内部と反対に位置する前記下部正面板の正面である前記筐体の正面に設けられ前記払い出しホッパから遊技媒体が供給されるノズルシュートと、前記下部正面板の正面である前記筐体の正面で前記ノズルシュートの上に設けられた計数遊技媒体受け皿とを備え、遊技機に併設される遊技媒体貸出機であって、前記計数遊技媒体受け皿に装脱可能に装着される装着具が設けられ、前記装着具は、物品の載置を可能とした物品載置部と、前記物品載置部が前記計数遊技媒体受け皿に装着された状態を保持する保持部とを有していることを特徴とする。
請求項３記載の発明は、前記物品載置部は、異なる物品に対応して複数設けられていることを特徴とする。
請求項４記載の発明は、前記複数の物品載置部は、前記筐体の正面から直交して離れる方向に並べられて設けられ、前記複数の物品載置部は、携帯通信機の載置を可能とした携帯通信機載置部を含んで構成され、前記携帯通信機載置部は、前記複数の物品載置部のうちで最も前記筐体の正面に近い箇所に位置していることを特徴とする。
請求項５記載の発明は、前記物品載置部は、カップの載置を可能としたカップ載置部と、携帯通信機の載置を可能とした携帯通信機載置部とを含んで構成され、前記カップ載置部は前記携帯通信機載置部よりも前記筐体の正面から離れた箇所に位置し、前記カップ載置部は、カップが載置されるカップ用底壁と、前記カップ用底壁の周囲から起立するカップ用側壁とを有し、前記携帯通信機載置部は、横の寸法よりも縦の寸法が大きい携帯通信機を縦置きした状態で載置される携帯通信機用底壁と、前記携帯通信機用底壁の周囲から起立する携帯通信機用側壁とを有し、前記携帯通信機用底壁は、前記カップ用底壁よりも高い箇所に位置して前記カップ用底壁に近づくにつれて次第に下方に変位する傾斜面で形成され、前記カップ載置部と前記携帯通信機載置部との境の箇所に位置する前記カップ用側壁および前記携帯通信機用側壁の少なくとも下部に欠部が設けられ、この欠部の底部を介して前記カップ用底壁と前記携帯通信機用底壁とが接続されていることを特徴とする。
請求項６記載の発明は、前記物品載置部は、カップの載置を可能としたカップ載置部と、携帯通信機の載置を可能とした携帯通信機載置部とを含んで構成され、前記カップ載置部は前記携帯通信機載置部よりも前記筐体の正面から離れた箇所に位置し、前記カップ載置部は、カップが載置されるカップ用底壁と、前記カップ用底壁の周囲から起立するカップ用側壁とを有し、前記携帯通信機載置部は、横の寸法よりも縦の寸法が大きい携帯通信機を縦置きした状態で載置される携帯通信機用底壁と、前記携帯通信機用底壁の周囲から起立する携帯通信機用側壁とを有し、前記携帯通信機用側壁の上端で前記カップ載置部寄りの箇所に、前記携帯通信機を横置きにした際に前記横置きされた前記携帯通信機の下側の箇所に係止する係止突起が設けられていることを特徴とする。
請求項７記載の発明は、前記装着具は、前記物品載置部が設けられ前記計数遊技媒体受け皿に収容される本体部を備え、前記保持部は前記本体部から突設された脚部を備え、前記脚部は、前記筐体の外側から見えない前記筐体の正面の内側の適宜箇所に係脱可能に係止することを特徴とする。
請求項８記載の発明は、前記装着具は、前記下部正面板が前記筐体から取り外された状態で前記計数遊技媒体受け皿から取り外し可能であり、前記下部正面板は、前記筐体本体の正面の係止孔に下方に変位することで係止し、上方に変位することで前記係止孔から外れる係止爪を有し、前記下部正面板が取着される上方の前記筐体の正面の箇所は、前記払い出しホッパに遊技媒体を投入するための開口となっており、前記開口を開閉する開閉蓋が設けられ、前記開閉蓋が前記開口を閉塞した状態で、前記下部正面板は前記開閉蓋に当接して上方への変位が不能となり、前記開閉蓋が前記開口を開放した状態で、前記下部正面板は上方への変位が可能となり、前記筐体本体から取り外し可能となることを特徴とする。
請求項９記載の発明は、前記計数遊技媒体受け皿の上方の前記筐体の正面の箇所に前記携帯通信機の充電を行なう充電用コネクタが設けられていることを特徴とする。
【発明の効果】
【０００６】
請求項１、２記載の発明によれば、利用されない計数遊技媒体受け皿に装脱可能に装着される装着具を設け、装着具は、物品の載置を可能とした物品載置部と、前記物品載置部が前記計数遊技媒体受け皿に装着された状態を保持する保持部とを有している。
したがって、装着具は、もともと遊技媒体貸出機が備える計数遊技媒体受け皿を利用して配置できるため、缶飲料を含むカップ、携帯通信機、タバコやライター、腕時計、菓子類などの物品を、遊技者の邪魔になることなく遊技者の近くに載置することができる。
そのため、遊技者は、それら物品をすぐに手に取ることができ、また、物品が携帯通信機である場合には、携帯通信機の表示画面を容易に視認することで電話やメールなどの着信を見逃すことなく携帯通信機を操作できるので、遊技機の利便性の向上を図る上で有利となる。
請求項３記載の発明によれば、複数種類の物品を載置できるので、遊技機の利便性の向上を図る上で有利となる。
請求項４記載の発明によれば、計数遊技媒体受け皿の幅方向の限られたスペースを有効に活用し、携帯通信機載置部を含む複数種類の物品を載置でき、また、携帯通信機を安定した状態で載置する上で有利となる。
請求項５記載の発明によれば、カップ載置部に載置されたカップを手に取りやすく利便性の向上を図る上で有利となり、携帯通信機を安定した状態で載置する上で有利となる。また、カップや缶飲料から飲み物を携帯通信機載置部にこぼしたとしても、携帯通信機用底壁上に飲み物が滞留することが抑制されるため、携帯通信機載置部に載置された携帯通信機が飲み物によって濡れてしまうことを回避する上で有利となる。
請求項６記載の発明によれば、カップ載置部に載置されたカップを手に取りやすく利便性の向上を図る上で有利となり、携帯通信機を安定した状態で載置する上で有利となる。また、携帯通信機の姿勢を縦置きと横置きとに適宜選択することができるため、遊技機の利便性の向上を図る上で有利となる。
請求項７記載の発明によれば、装着具が不正に持ち去られるといったトラブルを防止する上で有利となる。
請求項８記載の発明によれば、装着具が不正に持ち去られるといったトラブルを防止する上でより有利となる。
請求項９記載の発明によれば、遊技中に携帯通信機の充電を行なうサービスを提供することができ、遊技機の利便性の向上を図る上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】実施の形態に係る遊技媒体貸出機に組み付けられた装着具の斜視図である。
【図３】装着具が計数遊技媒体受け皿に装着された下部正面板の側面図である。
【図４】装着具が計数遊技媒体受け皿に装着される前の下部正面板の斜視図である。
【図５】図４の側面図である。
【図６】装着具が計数遊技媒体受け皿に装着された下部正面板を背面側から見た斜視図である。
【図７】装着具の係止突起が計数遊技媒体受け皿と計数メダル通路とを連通する開口の上縁に係止した状態を示す側面図である。
【図８】図７のＡ部分の拡大図である。
【図９】（Ａ）は装着具の正面図、（Ｂ）は装着具の平面図、（Ｃ）は装着具の側面図である。
【図１０】（Ａ）は装着具の断面図、（Ｂ）は携帯通信機が載置された装着具の断面図である。
【図１１】携帯通信機と缶飲料が装着具に載置された状態を示す遊技媒体貸出機の側面図である。
【図１２】（Ａ）は缶飲料と携帯通信機が装着具に載置された状態を示す遊技媒体貸出機の斜視図、（Ｂ）は携帯通信機が横置きで装着具に載置された状態を示す遊技媒体貸出機の斜視図、（Ｃ）は携帯通信機が装着具に載置された状態を示す遊技媒体貸出機の斜視図、（Ｄ）は缶飲料が装着具に載置された状態を示す遊技媒体貸出機の斜視図、（Ｅ）はたばこが装着具に載置された状態を示す遊技媒体貸出機の斜視図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、装着具２８とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０が収納されている。
複数の正面板は、ビルバリユニット用正面板１６Ａ、制御部側正面板１８Ａ、開閉蓋３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４、充電用コネクタ１８０６が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
充電用コネクタ１８０６は、後述する装着具２８に載置された携帯通信機２にケーブルを介して接続されることで携帯通信機の充電を行なうものであり、充電用コネクタ１８０６としてＵＳＢコネクタなど従来公知の様々なコネクタが使用可能である。
【００１１】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
正面開口部１４１０の下部には下部正面板３２が着脱可能に取着されており、開閉蓋３０の下方から正面開口部１４１０の下端までが下部正面板３２で閉塞される。
【００１２】
ノズルシュート２２は、払い出しホッパ２０から払い出されたメダルを受け入れてノズル２４に導く部分であり、ノズルシュート２２は、例えば下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
下部正面板３２の正面３２０２は、筐体１２の正面を構成している。
図４、図５に示すように、計数遊技媒体受け皿２６は、下部正面板３２の正面３２０２でノズルシュート２２の上に設けられている。
本実施の形態では、遊技媒体貸出機１０は、メダルの計数機能を備えておらず、計数遊技媒体受け皿２６に投入されたメダルの計数を行なう計数ホッパは筐体１２に収容されていない。
しかしながら、筐体１２は、計数ホッパが払い出しホッパ２０の下方に収容可能に構成されており、計数ホッパを筐体１２に収容することで、遊技媒体貸出機１０をメダル計数機能を有する仕様に変更できるように図られている。
【００１４】
図５、図６に示すように、下部正面板３２の背面３２０４に、計数遊技媒体受け皿２６に投入されたメダルを計数ホッパに導く計数メダル通路３６が設けられている。計数遊技媒体受け皿２６と計数メダル通路３６は、下部正面板３２に形成された開口３８を介して連通している。
本実施の形態では、図６に示すように、計数メダル通路３６は、下部正面板３２の背面に取着され開口３８の上部と両側を覆い開口３８の下方が開放されたカバー４０で構成されている。
また、下部正面板３２の背面３２０４で計数メダル通路３６の上方の箇所には、ノズルシュート２２に連通し払い出しホッパ２０から払い出されたメダルをノズルシュート２２に導く払い出しメダル通路４２が設けられている。
【００１５】
また、図４、図５に示すように、下部正面板３２の両側には、それぞれ上下方向に間隔をおいて３つの係止爪３２１０が突設されている。
下部正面板３２は、それら３つの係止爪３２１０が筐体１２の正面開口部１４１０の下部の両側の係止孔（不図示）に、上方から下方に挿入され係止されることで筐体１２に装着される。
上述したように下部正面板３２の上方には開閉蓋３０が開閉可能に設けられ、開閉蓋３０が閉じた状態で、開閉蓋３０の下端と下部正面板３２の上端とは当接可能となるため、下部正面板３２の上方への変位は不能となり、すなわち、下部正面板３２の取り外しは不能となる。
また、開閉蓋３０が開いた状態で、開閉蓋３０の下端は下部正面板３２の上端から離れるため、下部正面板３２の上方への変位が可能となり、すなわち、下部正面板３２の取り外しが可能となる。
【００１６】
図２〜図５、図９に示すように、計数遊技媒体受け皿２６に装脱可能に装着される装着具２８が設けられている。
装着具２８は、本体部４４と保持部４６とを備えている。
本体部４４には、飲み物が入った缶飲料を含むカップや、タバコやライター、腕時計、菓子類などの各種の物品の載置を可能とした物品載置部が設けられている。
本実施の形態では、物品載置部は複数（２つ）設けられ、そのうちの１つは、カップや缶飲料の載置を可能としたカップ載置部４８であり、他の１つは、携帯通信機の載置を可能とした携帯通信機載置部５０である。
保持部４６は、カップ載置部４８と携帯通信機載置部５０とが計数遊技媒体受け皿２６に装着された状態を保持するものである。
カップ載置部４８と携帯通信機載置部５０は、筐体１２の正面と直交する方向で正面から離れる方向に並べられて設けられている。
カップ載置部４８は携帯通信機載置部５０よりも筐体１２の正面から離れた箇所に位置している。
【００１７】
カップ載置部４８は、カップや缶飲料が載置されるカップ用底壁４８０２と、カップ用底壁４８０２の周囲から起立するカップ用側壁４８０４とを有している。
図４、図９〜図１１に示すように、携帯通信機載置部５０は、携帯通信機２が載置される携帯通信機用底壁５００２と、携帯通信機用底壁５００２の周囲から起立する携帯通信機用側壁５００４とを有し、携帯通信機載置部５０は、横の寸法よりも縦の寸法が大きい携帯通信機２を縦置きした状態、すなわち縦置きでの載置が可能に形成されている。この場合、縦置きにされた携帯通信機２の下部は、携帯通信機用底壁５００２に載置されると共に携帯通信機用側壁５００４の下部に係止し、携帯通信機の上部は開閉蓋３０の前面３００２に係止される。
図１０（Ａ）に示すように、携帯通信機用底壁５００２は、カップ用底壁４８０２よりも高い箇所に位置してカップ用底壁４８０２に近づくにつれて次第に下方に変位する傾斜面で形成されている。
図９（Ａ）、（Ｂ）、図１０（Ａ）に示すように、カップ載置部４８と携帯通信機載置部５０との境の箇所に位置するカップ用側壁４８０４および携帯通信機用側壁５００４の少なくとも下部に欠部５２が設けられ、本実施の形態では、カップ載置部４８と携帯通信機載置部５０との境の箇所に位置するカップ用側壁４８０４および携帯通信機用側壁５００４の上端から下端にわたって欠部５２が設けられている。
そして、この欠部５２の底部５２０２を介してカップ用底壁４８０２と携帯通信機用底壁５００２とが接続されている。本実施の形態では、欠部５２の底部５２０２は、カップ用底壁４８０２に近づくにつれて次第に下方に変位する傾斜面で形成されている。
【００１８】
図４、図９（Ｃ）に示すように、携帯通信機用側壁５００４の上端でカップ載置部４８寄りの複数箇所に、例えば横置きされた携帯通信機２の下側の箇所に係止する係止突起５０１０が設けられている。この場合、図１２（Ｂ）に示すように、例えば横置きにされた携帯通信機２の下部は、携帯通信機用側壁５００４の上端に載置されると共に複数の係止突起５０１０に係止し、携帯通信機２の上部は開閉蓋３０の前面３００２に係止される。すなわち、係止突起５０１０は、携帯通信機載置部５０を構成している。
図４、図９等に示す実施形態では、装着具２８の上面に形成した係止突起５０１０に加えて、カップ載置部４８及び携帯通信機載置部５０の凹部を装着具２８の上面に形成した実施形態を示してあるが、カップ載置部４８及び携帯通信機載置部５０の凹部を形成せずに、装着具２８の上面に略水平な平面を形成するとともに係止突起５０１０を形成することもできる。
また、装着具２８の上面に、カップ載置部４８、携帯通信機載置部５０、及びその他の物品載置用の凹部の少なくとも一つを形成することもできるし、これらの構成に係止突起５０１０を加えて形成することもできる。
すなわち、カップ載置部４８や携帯通信機載置部５０を含む物品載置部の構造は実施の形態の構造に限定されず、従来公知の様々な構成が採用可能である。
なお、本体部４４の先部と両側部をなすカップ用側壁４８０４と携帯通信機用側壁５００４の上端には、図９に示すように、計数遊技媒体受け皿２６の上端に係合し本体部４４のガタツキを防止する鍔部４４０２が設けられている。
【００１９】
図５に示すように、保持部４６は、本体部４４から下方に突設された脚部４６０２と、脚部４６０２の中間部に設けられた係止突起４６０４とを備えている。
装着具２８の計数遊技媒体受け皿２６への装着は、次のように行なわれる。
すなわち、図７、図８に示すように、本体部４４を計数遊技媒体受け皿２６に収容し、脚部４６０２を計数遊技媒体受け皿２６の底壁２６０２の開口２６０４からノズルシュート２２の内部に挿入する。これにより、装着具２８が計数遊技媒体受け皿２６に装着され、係止突起４６０４が計数遊技媒体受け皿２６と計数メダル通路３６とを連通する開口３８の上縁に係止し、言い換えると、係止突起４６０４が筐体１２の適宜箇所に係止し、装着具２８の上方への変位が不能となり、すなわち、装着具２８の取り外しが不能となる。
すなわち、脚部４６０２は、筐体１２の外側から見えない筐体１２の正面の内側の箇所に係脱可能に係止し、装着具２８が不正に持ち去られるといったトラブルを防止するように図られている。
なお、図９（Ｃ）に示すように、カップ載置部４８から最も離れた携帯通信機用側壁５００４の背面に突起５０１２が設けられ、装着具２８が計数遊技媒体受け皿２６に装着される際に、この突起５０１２が計数遊技媒体受け皿２６の凹部２６１０（図４参照）に係合することで装着具２８のガタツキが防止されている。
なお、保持部４６は、物品載置部が計数遊技媒体受け皿２６に装着された状態を保持するものであり、保持部４６は、開口３８の上縁に係止する係止突起４６０４を有する脚部４６０２や、計数遊技媒体受け皿２６の上端に係合し本体部４４のガタツキを防止する鍔部４４０２、計数遊技媒体受け皿２６の凹部２６１０に係合して本体部４４のガタツキを防止する突起５０１２を含んで構成されている。
【００２０】
また、装着具２８の取り外しは、次のように行なわれる。
まず、開閉蓋３０を開き、下部正面板３２を筐体１２から取り外す。
次に、係止突起４６０４を押し込んで開口３８の上縁から外し、本体部４４と脚部４６０２を計数遊技媒体受け皿２６から抜き出す。これにより装着具２８が計数遊技媒体受け皿２６から取り外される。すなわち、装着具２８の取り外しは、下部正面板３２を筐体１２から取り外した状態で可能となる。
なお、上述したように、開閉蓋３０が閉じた状態で、開閉蓋３０の下端と下部正面板３２の上端とは当接可能となるため、下部正面板３２の上方への変位は不能となり、すなわち、開閉蓋３０が閉じた状態で装着具２８を取り外すことができない。開閉蓋３０はキー操作により初めて開放される。すなわち、本実施の形態では、下部正面板３２を筐体１２から取り外さないと装着具２８の取り出しを行なえず、また、キー操作により開閉蓋３０を開放しないと下部正面板３２の取り外しを行なえないため、装着具２８の取り外しについて２重のロック構造が作用していることになる。
また、脚部４６０２に係止突起４６０４に代えて係止孔を設け、筐体１２側に開口３８に代えて係止孔に係止する係止突起を設けても良いことは無論のことであり、脚部４６０２が筐体１２側に係止する構造は実施の形態に限定されず、従来公知の様々な係脱構造が採用可能である。この場合に実施の形態のようにねじなどの固定具を用いずに係脱構造を構成すると、脚部４６０２の取り外しをワンタッチで行なえ、装着具２８の取り付け、取り外し作業を短時間で簡単に行なう上で有利となる。
【００２１】
次に作用効果について説明する。
本実施の形態によれば、計数遊技媒体受け皿２６に装脱可能に装着される装着具２８を設け、装着具２８は、物品載置部と、物品載置部が計数遊技媒体受け皿２６に装着された状態を保持する保持部４６とを有している。
したがって、装着具２８は、もともと遊技媒体貸出機１０が備える計数遊技媒体受け皿２６を利用して配置できるため、各種の物品を、遊技者の邪魔になることなく遊技者の近くに載置することができる。
そのため、遊技者は、それら物品をすぐに手に取ることができるので、遊技媒体貸出機１０の利便性の向上を図る上で有利となる。
本実施の形態では、装着具２８は、カップ載置部４８と携帯通信機載置部５０との２つの物品載置部を有しているので、遊技者は、カップや缶飲料をすぐに手に取ることができ、同時に、携帯通信機２の表示画面を容易に視認することができるので、電話やメールなどの着信を見逃すことなく携帯通信機２を操作でき、遊技媒体貸出機１０の利便性の向上を図る上で有利となる。
【００２２】
また、本実施の形態では、保持部４６は、本体部４４から下方に突設された脚部４６０２と、脚部４６０２に設けられた係止突起４６０４を備え、本体部４４が計数遊技媒体受け皿２６に収容され、脚部４６０２が計数遊技媒体受け皿２６の底壁２６０２を挿通し係止突起４６０４が筐体１２の適宜箇所（例えば開口３８の縁）に係止することで、装着具２８の上方への変位が不能となった装着具２８の装着状態が形成される。
すなわち、脚部４６０２は、筐体１２の外側から見えない筐体１２の正面の内側の箇所に係脱可能に係止し、装着具２８が不正に持ち去られるといったトラブルを防止する上で有利となる。
また、装着具２８の計数遊技媒体受け皿２６への装着、取り外しに際して、ボルトやナットが不要となるため、部品点数の削減を図る上で、また、装着具２８の組み付け、取り外し作業の簡素化を図る上で有利となる。
【００２３】
また、本実施の形態では、携帯通信機用底壁５００２は、カップ用底壁４８０２よりも高い箇所に位置してカップ用底壁４８０２に近づくにつれて次第に下方に変位する傾斜面で形成され、カップ載置部４８と携帯通信機載置部５０との境の箇所に位置するカップ用側壁４８０４および携帯通信機用側壁５００４の少なくとも下部に欠部５２が設けられ、この欠部５２の底部５２０２を介してカップ用底壁４８０２と携帯通信機用底壁５００２とが接続されている。
したがって、カップや缶飲料４から飲み物を携帯通信機載置部５０にこぼしたとしても、こぼれた飲み物は、携帯通信機用底壁５００２から欠部５２を介して携帯通信機載置部５０の傾斜面からカップ用底壁４８０２に速やかに導かれる。
そのため、携帯通信機用底壁５００２上に飲み物が滞留することが抑制されるため、携帯通信機載置部５０に携帯通信機２を載置しても、飲み物によって携帯通信機２が濡れてしまうことを回避する上で有利となる。
【００２４】
また、本実施の形態では、開閉蓋３０が開口３４を閉塞した状態で、下部正面板３２は筐体１２から取り外し不能となり、開閉蓋３０が開口３４を開放した状態で、下部正面板３２は筐体１２から取り外し可能となり、装着具２８は、下部正面板３２が筐体１２から取り外された状態で、計数遊技媒体受け皿２６から取り外し可能となるようにした。
したがって、開閉蓋３０が開口３４を開放した状態としない限り、装着具２８を遊技媒体貸出機１０から取り外すことができないため、装着具２８が不正に持ち去られるといったトラブルを防止する上で有利となる。
【００２５】
また、本実施の形態では、計数遊技媒体受け皿２６の上方の筐体１２の正面の箇所に携帯通信機２の充電を行なう充電用コネクタ１８０６が設けられているので、携帯通信機載置部５０に載置された携帯通信機２と充電用コネクタ１８０６とをケーブルを介して接続することで、携帯通信機２の充電を行なうことができる。
したがって、遊技中に携帯通信機２の充電を行なうサービスを提供することができ、利便性の向上を図る上で有利となる。
【００２６】
さらに本実施の形態の作用効果を図１２（Ａ）〜（Ｅ）に示す具体例に基いて説明する。
図１２（Ａ）は、缶飲料４がカップ載置部４８に載置されると共に、携帯通信機２が携帯通信機載置部５０に縦置きで載置された状態を示す。
このようにカップ載置部４８と携帯通信機載置部５０は、筐体１２の正面と直交する方向で筐体１２の正面から離れる方向に並べられて設けられているため、計数遊技媒体受け皿２６の幅方向の限られたスペースを有効に活用してカップ載置部４８と携帯通信機載置部５０との双方を配置する上で有利となる。
また、このようにカップ載置部４８を携帯通信機載置部５０よりも筐体１２の正面から離れた箇所に位置させると、遊技者から見てカップや缶飲料４が携帯通信機２よりも手前に位置することになる。したがって、カップや缶飲料４を手に取りやすく利便性の向上を図る上で有利となる。但し、カップ載置部４８と携帯通信機載置部５０の位置関係は本実施例に限定されるものではなく、筐体１２の正面横方向に並べるようにしても良い。
図１２（Ｂ）は、携帯通信機２が携帯通信機用側壁５００４の上端に横置きで載置された状態を示し、図１２（Ｃ）は、携帯通信機２が携帯通信機載置部５０に縦置きで載置された状態を示す。
このように係止突起４６０４に係止させることで、携帯通信機載置部５０に携帯通信機２を横置きにすることも、あるいは、携帯通信機用底壁５００２に載置することで、携帯通信機載置部５０に携帯通信機２を縦置きにすることも可能となる。
したがって、遊技者の好みに応じて、あるいは、携帯通信機２のディスプレイに表示される画面の方向の縦向きと横向きとに応じて、携帯通信機２の姿勢を縦置きと横置きとに適宜選択することができるため、利便性の向上を図る上で有利となる。
図１２（Ｄ）は、缶飲料４がカップ載置部４８に載置された状態を示し、図１２（Ｅ）は、携帯通信機載置部５０にタバコ６が載置された状態を示す。
カップ載置部４８および携帯通信機載置部５０には、カップや缶飲料４、携帯通信機２を載置する他、タバコ６や菓子など、遊技者が身の回りに置いておきたいものを載置するなど任意である。
【符号の説明】
【００２７】
２  携帯通信機
４  缶飲料
１０  遊技媒体貸出機
１２  筐体
１４  筐体本体
１４１０  正面開口部
１８０６  充電用コネクタ
２０  払い出しホッパ
２２  ノズルシュート
２６  計数遊技媒体受け皿
２６０２  底壁
２６０４  開口
２８  装着具
３０  開閉蓋
３００２  前面
３２  下部正面板
３２０２  正面
３４  開口
３８  開口
４４  本体部
４４０２  鍔部
４６  保持部
４６０２  脚部
４６０４  係止突起
４８  カップ載置部
４８０２  カップ用底壁
４８０４  カップ用側壁
５０  携帯通信機載置部
５００２  携帯通信機用底壁
５００４  携帯通信機用側壁
５０１０  係止突起
５０１２  突起
５２  欠部
５２０２  底部
【図１】
2018015063.tif 000003
【図２】
2018015063.tif 000004
【図３】
2018015063.tif 000005
【図４】
2018015063.tif 000006
【図５】
2018015063.tif 000007
【図６】
2018015063.tif 000008
【図７】
2018015063.tif 000009
【図８】
2018015063.tif 000010
【図９】
2018015063.tif 000011
【図１０】
2018015063.tif 000012
【図１１】
2018015063.tif 000013
【図１２】
2018015063.tif 000014